(57)【要約】【課題】検査値データと軌道位置データとの対応付けをより正確に安定的に行うシステム及び方法を提供する。【解決手段】検査値データと同期して、車両上に設置された角速度センサによってヨー角速度を表す角速度データを順次取得して検査値データと共に時系列的に保存し、保存した角速度データの中で規定条件を満足する角速度データの時系列的集合を抽出し、その時系列的集合を検出曲線として、軌道管理図の曲線線形図における曲線とマッチングさせ、検出曲線の代表のヨー角速度と、その検出曲線にマッチングされた曲線線形図における曲線の曲率半径とから速度を求め、それを検出曲線における確定速度とし、必要に応じて確定速度間を補間する速度を求め、これらの速度を積分して距離を求め、求めた距離を用いて、処理区間における検査値データと軌道管理図の軌道位置データとの対応付けを行う。【選択図】図７
2014044096.tif 000002
【特許請求の範囲】
【請求項１】
軌道上を走行する車両に設置されたセンサによって時系列的に取得される検査値データを、軌道位置データと対応付ける軌道位置データ付与システムであって、
前記検査値データと同期して、車両上に設置された角速度センサによってヨー角速度を表す角速度データを順次取得して検査値データと共に時系列的に保存するデータ記録装置と、
前記データ記録装置で記録されたデータを解析するデータ解析装置とを備え、前記データ解析装置は、
前記保存した角速度データの中から規定条件を満足する角速度データの時系列的集合を抽出し、その時系列的集合を検出曲線として、軌道管理図の曲線線形図における曲線とマッチングさせる手段と、
検出曲線の代表のヨー角速度と、その検出曲線とマッチングされた曲線線形図における曲線の曲率半径とから速度を求め、それを検出曲線における確定速度とする手段と、
必要に応じて確定速度間を補間する速度を求め、これらの速度を積分して距離を求め、求めた距離を用いて、保存した検査値データと軌道管理図の軌道位置データとの対応付けを行う手段と、
を備える軌道位置データ付与システム。
【請求項２】
確定速度間の速度の補間は、進行方向加速度を積分することにより行うことを特徴とする請求項１記載の軌道位置データ付与システム。
【請求項３】
確定速度間の区間において、区間始点の確定速度を初期値として進行方向加速度を積分した区間終点の結果と、区間終点の確定速度との差異を求め、該差異から求めた区間における位置に応じた誤差を、進行方向加速度の積分から除去することを特徴とする請求項２記載の軌道位置データ付与システム。
【請求項４】
軌道上を走行する車両に設置されたセンサによって時系列的に取得される検査値データを、軌道位置データと対応付ける軌道位置データ付与方法であって、
前記検査値データと同期して、車両上に設置された角速度センサによってヨー角速度を表す角速度データを順次取得して検査値データと共に時系列的に保存する工程と、
前記保存した角速度データの中から規定条件を満足する角速度データの時系列的集合を抽出し、その時系列的集合を検出曲線として、軌道管理図の曲線線形図における曲線とマッチングさせる工程と、
検出曲線の代表のヨー角速度と、その検出曲線にマッチングされた曲線線形図における曲線の曲率半径とから速度を求め、それを検出曲線における確定速度とする工程と、
必要に応じて確定速度間を補間する速度を求め、これらの速度を積分して距離を求め、求めた距離を用いて、保存した検査値データと軌道管理図の軌道位置データとの対応付けを行う工程と、
を備える軌道位置データ付与方法。
【請求項５】
確定速度間の速度の補間は、進行方向加速度を積分することにより行うことを特徴とする請求項４記載の軌道位置データ付与方法。
【請求項６】
確定速度間の区間において、区間始点の確定速度を初期値として進行方向加速度を積分した区間終点の結果と、区間終点の確定速度との差異を求め、該差異から求めた区間における位置に応じた誤差を、進行方向加速度の積分から除去することを特徴とする請求項５記載の軌道位置データ付与方法。
【発明の詳細な説明】
【技術分野】
【０００１】
本発明は、軌道上を走行する車両に設置されたセンサから時系列的に出力される検査値データを、軌道位置データと対応付ける軌道位置データ付与システム及び軌道位置データ付与方法に関する。
【背景技術】
【０００２】
軌道上を走行する車両においては、その軌道保守を行うために、軌道の状態を検査することが行われており、検査として、例えば、レールの傷、摩耗または変位、レール遊間量の検査、車両の動揺の検査などが、各種センサを用いて行われる。
【０００３】
これらの検査を行う場合、センサを用いて取得される検査値データは、その検査値データがどこの軌道位置のデータであるかを表す軌道位置データとの対応付けがなされて、格納される必要がある。
【０００４】
従来、軌道検測車のような検査専用車両では、軌道位置データを得るために車輪の回転から距離を計測するエンコーダや、地上子からの軌道位置データを受信可能な車上受信装置が装備されており、検査値データと軌道位置データとの対応付けが行えるようになっている。
【０００５】
しかしながら、検査専用車両を用いずに、通常の営業車で検査値データを取得しようとすると、上記軌道位置データを取得するための装置が装備されていないために、軌道位置の決定が困難になる、という問題がある。
【０００６】
このような問題を解決するためのものとして、特許文献１及び特許文献２に示すものが知られている。
【０００７】
特許文献１では、軌道検測車で測定した列車動揺データと、営業車で測定した動揺データとの照合を行うために、営業車で測定した進行方向の加速度データを２重積分して距離にして軌道位置データである走行キロ程を求め、上下方向及び左右方向の加速度データに対して、軌道位置データとの照合を行っている。
【０００８】
特許文献２の車両走行動揺解析システム及び方法では、ＧＰＳアンテナ及びＧＰＳ受信機を有し、ＧＰＳアンテナによりＧＰＳ受信機が受信するＧＰＳ信号により取得される位置情報に基づいて車両の位置情報を補正している。
【先行技術文献】
【特許文献】
【０００９】
【特許文献１】特許第２７２０１７２号公報
【特許文献２】特許第３９９３２２２号公報
【発明の概要】
【発明が解決しようとする課題】
【００１０】
しかしながら、特許文献１の構成では、進行方向の加速度データを２重積分しているが、加速度データに含まれるオフセットや誤差が積分により増大し、正確に照合を行うことが困難である、という問題がある。特許文献１では、かかる加速度データの誤差を補正するために、駅と駅との間で必ず発車と停止が行われ、加速度の総和が０になることから、サンプリングした加速度データを積算して、駅間の総和が０でないときには、この操作をサンプリング数で除して補正数とし、各サンプリングデータよりこれを減ずる補正を行っているが、駅と駅との間という長い距離に亘り一様に補正することになるために、補正が粗くなり、精度が悪いという、という問題がある。
【００１１】
また、特許文献２の構成では、ＧＰＳ信号により取得される位置情報は、ある範囲の誤差を持つ緯度経度情報であるために、ＧＰＳ信号により取得される緯度経度情報を、軌道位置に対応付ける更なる照合作業が必要になる、という問題がある。
【００１２】
本発明は上記課題に鑑みなされたもので、検査値データと軌道位置データとの対応付けをより正確に安定的に行うシステム及び方法を提供することをその目的とする。
【課題を解決するための手段】
【００１３】
上記課題を解決するために、請求項１記載の本発明は、軌道上を走行する車両に設置されたセンサによって時系列的に取得される検査値データを、軌道位置データと対応付ける軌道位置データ付与システムであって、
前記検査値データと同期して、車両上に設置された角速度センサによってヨー角速度を表す角速度データを順次取得して検査値データと共に時系列的に保存するデータ記録装置と、
前記データ記録装置で記録されたデータを解析するデータ解析装置とを備え、前記データ解析装置は、
前記保存した角速度データの中から規定条件を満足する角速度データの時系列的集合を抽出し、その時系列的集合を検出曲線として、軌道管理図の曲線線形図における曲線とマッチングさせる手段と、
検出曲線の代表のヨー角速度と、その検出曲線とマッチングされた曲線線形図における曲線の曲率半径とから速度を求め、それを検出曲線における確定速度とする手段と、
必要に応じて確定速度間を補間する速度を求め、これらの速度を積分して距離を求め、求めた距離を用いて、保存した検査値データと軌道管理図の軌道位置データとの対応付けを行う手段と、
を備える。
【００１４】
請求項２記載の発明は、請求項１記載の発明において、確定速度間の前記速度の補間は、進行方向加速度を積分することにより行うことを特徴とする。
【００１５】
請求項３記載の発明は、請求項２記載の発明において、確定速度間の区間において、区間始点の確定速度を初期値として進行方向加速度を積分した区間終点の結果と、区間終点の確定速度との差異を求め、該差異から求めた区間における位置に応じた誤差を、進行方向加速度の積分から除去することを特徴とする。
【００１６】
請求項４記載の発明は、軌道上を走行する車両に設置されたセンサによって時系列的に取得される検査値データを、軌道位置データと対応付ける軌道位置データ付与方法であって、
前記検査値データと同期して、車両上に設置された角速度センサによってヨー角速度を表す角速度データを順次取得して検査値データと共に時系列的に保存する工程と、
前記保存した角速度データの中から規定条件を満足する角速度データの時系列的集合を抽出し、その時系列的集合を検出曲線として、軌道管理図の曲線線形図における曲線とマッチングさせる工程と、
検出曲線の代表のヨー角速度と、その検出曲線にマッチングされた曲線線形図における曲線の曲率半径とから速度を求め、それを検出曲線における確定速度とする工程と、
必要に応じて確定速度間を補間する速度を求め、これらの速度を積分して距離を求め、求めた距離を用いて、保存した検査値データと軌道管理図の軌道位置データとの対応付けを行う工程と、
を備える。
【００１７】
請求項５記載の発明は、請求項４記載の発明において、確定速度間の速度の補間は、進行方向加速度を積分することにより行うことを特徴とする。
【００１８】
請求項６記載の発明は、請求項５記載の発明において、確定速度間の区間において、区間始点の確定速度を初期値として進行方向加速度を積分した区間終点の結果と、区間終点の確定速度との差異を求め、該差異から求めた区間における位置に応じた誤差を、進行方向加速度の積分から除去することを特徴とする。
【発明の効果】
【００１９】
本発明によれば、ヨー角速度を表す角速度データは、軌道管理図の曲線線形図と類似の変化傾向を持つために、規定条件を満足するヨー角速度の時系列的集合を曲線にマッチングすることができ、このマッチングを行うことにより、ヨー角速度と曲線の既知の曲率半径から、その曲線を通過したときの車両の速度を精度良く求めることができる。この精度の良い速度を確定速度とし、この確定速度を用いて距離を求めて、軌道位置データと対応付ければ、精度良く軌道位置データと検査値データとの対応付けを行うことができるようになる。
【図面の簡単な説明】
【００２０】
【図１】本発明による軌道位置データ付与方法を実施した軌道位置データ付与システムの全体図を示す概略説明図である。
【図２】本発明によるデータ記録装置の機能ブロック図である。
【図３】本発明によるデータ解析装置の機能ブロック図である。
【図４】軌道管理図の曲線線形図と、ヨー角速度との関係を示す図である。
【図５】（ａ）〜（ｃ）は旋回変化点の記号の説明図である。
【図６Ａ】曲線線形テーブルの一例である。
【図６Ｂ】曲線テーブルの一例である。
【図６Ｃ】既定物テーブルの一例である。
【図６Ｄ】データ出力テーブルのフィールドを表す。
【図７】角速度データと確定速度との関係を表す図である。
【図８】速度を補間する方法を表す説明図である。
【図９】（ａ）は、ヨー角速度と曲線線形図との対応付けを行う前の、検査値、即ち、ヨー角速度とキロ程とを暫定的に対応付けた場合の例であり、（ｂ）は、曲線の速度を確定速度として用いてキロ程と対応付けた場合の例である。
【発明を実施するための形態】
【００２１】
以下、図面を用いて本発明の実施の形態を説明する。
【００２２】
図において、軌道位置データ付与システム１０は、大別して、車両上に設置されて角速度等を測定し、測定によって取得された該角速度データ等を記録するデータ記録装置１２と、地上においてデータ記録装置１２で記録されたデータを解析するデータ解析装置１４及び充電器１６と、に大別することができる。
【００２３】
データ記録装置１２は、さらに、センサ部２０と、収録回路２２と、バッテリ２８とを備えて、可搬性を持った装置となっている。
【００２４】
センサ部２０は、例えば車両の進行方向の加速度ａｘ、車両の左右方向の加速度ａｙ、車両の上下方向の加速度ａｚ、車両のロール角変化であるロール角速度ｒｒ、車両のピッチ角変化であるピッチ角速度ｒｐ、車両のヨー角変化であるヨー角速度ｒｙを検出する。例えば、センサ部２０は、３軸の加速度と２軸の角速度を出力するマイクロ慣性センサ（東京計器株式会社製「ＭＥＳＡＧ」）を２個直交して配置することにより、これらの３つの加速度及び３つの角速度を検出することができる。またはセンサ部２０は、３個の加速度計と３個の角速度計とから構成することもできる。
【００２５】
図２に示すように、収録回路２２は、メモリ３２と、角速度データを含む検査値データをメモリ３２に格納する制御部３４と、マーキング部３６と、入力部３８とを備える。必要に応じてセンサ部２０と制御部３４との間にＡ／Ｄ変換器を設けることができる。
【００２６】
メモリ３２は、データ記録装置１２と一体または別体となった任意の記録媒体とすることができ、一定周期毎の角速度データを含む検査値データを時系列的に格納する。マーキング部３６は、手動で操作可能であり、この操作が行われたときに、メモリ３２にセンサ部２０からのデータと対応付けられて後述の測定基準データとしてのマーキングデータが格納される。入力部３８は、測定／記録の開始、終了／記録の終了の指令及び後述の測定基準データを入力するためのものである。尚、前記制御部３４、マーキング部３６及び入力部３８の少なくとも一部は、キーボード、マウスといった入力手段を備えたノート型パソコンのような携帯型コンピュータで構成することもできる。
【００２７】
この例では、データ記録装置１２は、軌道位置データを付与するための機能と、軌道保守のために必要な検査を行う機能とを兼用しており、検査装置も兼ねている。センサ部２０から得られる検査値データは、動揺測定を行うものとして使用される。データ記録装置１２が軌道位置データを付与するための機能のみを持つ場合には、センサ部２０は、少なくとも１つの角速度データのみ、または少なくとも１つの角速度データと進行方向の加速度データのみを出力するものであってもよい。
【００２８】
データ解析装置１４は、ＣＰＵを有するコンピュータで構成され、データ解析装置１４に格納された軌道位置データ付与プログラムを実行することにより、コンピュータであるデータ解析装置１４は、図３に示すように、処理区間決定処理手段１４０、角速度データ集合抽出手段１４２、マッチング手段１４４、速度演算手段１４６、速度補間手段１５０、検査値データ対応付け処理手段１５２、として機能する。またデータ解析装置１４は、メモリ３２がセットされることによって、またはメモリ３２のデータがダウンロードされることによって、データ保存手段としても機能する。このデータ解析装置１４を構成するコンピュータは、データ記録装置１２の一部を構成するコンピュータと同じものであってもよく、または別のものであってもよい。
【００２９】
また、データ解析装置１４には、軌道の曲線線形データと軌道位置データとしてのキロ程との対応付けが記録された曲線線形テーブル４２、軌道の曲線毎にその曲率半径との対応付けが記録された曲線テーブル４４、軌道上の停車場データその他既定物データと軌道位置データとしてのキロ程との対応付けが記録された既定物テーブル４６及び検査値データと軌道位置データとしてのキロ程とを対応付けたデータ出力テーブル４８が格納される。曲線線形テーブル４２及び曲線テーブル４４は、既存の軌道管理図を元にそれぞれ作成されるものである。
【００３０】
図４（ａ）は、軌道管理図の曲線線形図の一例であり、軌道管理図の曲線線形図は、横軸がキロ程、中立線より上側が右カーブ（軌道の起点から終点に向かって右カーブ）、下側が左カーブ（軌道の起点から終点に向かって左カーブ）を表す。
【００３１】
軌道管理図の曲線線形図、曲線線形テーブル４２及び曲線テーブル４４で用いられる記号ＢＴＣ、ＢＣＣ、ＥＣＣ、ＥＴＣ、ＢＩＴ、ＥＩＴ、ＢＲＴ、ＰＲＴ、ＥＲＴの意味は、図５（ａ）〜（ｃ）に示す通りであり、これらの記号は旋回変化点を表す。これらの旋回変化点は、いずれも曲線線形図において、屈曲点として表わされる。
【００３２】
図６Ａに示すように、曲線線形テーブル４２では、曲線線形図の各旋回変化点とキロ程との対応付けが一レコードとして記録されている。各レコードは、さらにページ、方向、曲率半径Ｒ（ｍ）、カントＣ（ｍｍ）及びスラックＳ（ｍｍ）のフィールドを持つ。ページは、軌道管理図のページを表し、方向は、Ｒが右カーブ、Ｌが左カーブを表し、曲率半径Ｒは、終点方向の曲率半径を表す。曲率半径Ｒ、カントＣ及びスラックＳは、旋回変化点が円弧曲線始点ＢＣＣ及び次の円弧曲線の始点ＥＩＴの場合に、その点からの軌道の曲率半径、カント及びスラックとして、該当するレコードに記録される。
【００３３】
図６Ｂに示すように、曲線テーブル４４では、各曲線を識別する曲線ＩＤと曲率半径、その他、曲線の特徴値の対応付けが一レコードとして記録されている。曲線ＩＤは、少なくとも停車場間で連番とすることができる。図５（ｂ）に示すように途中で曲線が変わる曲線については、１つの曲線とみなして、曲率半径は、曲線中央の曲率半径を代表させることができる。また、図５（ｃ）の場合には、向きが変化するところを境とした２つの曲線として扱うことができる。
【００３４】
図６Ｃに示すように、既定物テーブル４６では、停車場名とキロ程との対応付けが一レコードとして記録されている。記号は、ＩＮが停車場のホームの起点側のキロ程、Ｃが停車場の代表キロ程、ＯＵＴが停車場のホームの終点側のキロ程を表している。尚、既定物テーブル４６には、停車場以外の既定物の情報を記録することもでき、例えば既定物として、トンネル、橋、ＡＴＳ（地上子）のキロ程との対応付けを含めることができる。
【００３５】
以上の曲線線形テーブル４２及び曲線テーブル４４は１つのテーブルとして構成することも可能であり、既定物テーブル４６もこれらのテーブルに吸収させて構成することも可能であり、また、これらのうちのいずれかのテーブルは省略することも可能である。
【００３６】
以上のように構成される軌道位置データ付与システム及び軌道位置データ付与方法の手順を説明する。
【００３７】
１．測定前の準備
予め、データ記録装置１２のバッテリ２８を充電器１６により充電し、データ記録装置１２には、記録可能な容量を持つメモリ３２をセットしておく。
【００３８】
２．車両上での測定
角速度データを含む検査値データを取得するために、データ記録装置１２を車両に運び、車両の任意の場所、例えば床上や座席に、データ記録装置１２を設置する。このときに、センサ部２０の方向と車両の座標とを一致させるようにして設置する必要がある。測定前に入力部３８から測定開始地点の測定基準データとしてのキロ程及び／または停車場名の入力を行う。
【００３９】
データ記録装置１２は、入力部３８からの測定／記録開始指令の入力があると、測定及び記録を開始し、車両の停止／走行に関係なく、一定周期でセンサ部２０からのデータを時系列的にメモリ３２に格納し、入力部３８からの測定／記録終了指令の入力があると、測定及び記録を終了する。測定後に入力部３８から測定終了地点の測定基準データとしてのキロ程及び／または停車場名の入力を行う。
【００４０】
この例では、メモリ３２に記録される検査値データは、進行方向加速度データ、左右方向加速度データ、上下加速度データ、ロール角速度データ、ピッチ角速度データ、ヨー角速度データであり、これらは同期して記録される。また、メモリ３２には、測定基準データとしての測定開始地点及び測定終了地点のキロ程及び／または停車場名が記録される。即ち、この時点で、各角速度データを含む検査値データは、共通のデータＩＤ（または通し番号）と対応付けられ、データＩＤは、前記一定周期を一定キロ程とする暫定的なキロ程と実質的に対応付けられていることになる。測定開始地点及び測定終了地点の測定基準データもデータＩＤと対応付けられる。
【００４１】
好ましくは、測定中に、既定物テーブル４６に格納した停車場等の既定物を停車または通過するときには、作業者がマーキング部３６を操作する。これによって、上記メモリ３２に、上記センサ部２０で得られる角速度データを含む検査値データと同期して、データＩＤと対応付けられて測定基準データとしてのマーキングデータが記録される。
【００４２】
尚、測定中に、停車場に停車するときに、マーキングデータを記録する代わりに、測定基準データとして、その停車場のキロ程及び／または停車場名を入力部３８を用いて記録することとしてもよい。
【００４３】
３．地上での処理
測定終了後に、地上において、データ解析装置１４による軌道位置データ付与プログラムにより、メモリ３２に記録されたデータに対して処理を行う。
【００４４】
３−１  処理区間決定処理
軌道位置データ付与処理を行う処理区間を決定し、処理区間に対応するメモリ３２に記録された角速度データであるヨー角速度データを読み出す。
【００４５】
この処理区間の決定は、任意の方法・手段により決定することができるが、例えば、この処理区間は、以下のように決定することができる。
【００４６】
・処理区間を測定開始地点と測定終了地点の間、即ち、測定区間全体とすることができる。この場合には、メモリ３２に記録されている測定開始地点と測定終了地点のキロ程を読み出し処理基準開始キロ程及び処理基準終了キロ程とする。
【００４７】
・測定区間全体が長い場合には、メモリ３２に記録された複数の測定基準データの任意の２つの測定基準データの間を処理区間とし、順次、処理区間を掃引していくことが好ましい。２つの測定基準データ間としては、例えば、隣合う停車場間とすることが考えられる。選択された２つの測定基準データがメモリ３２でキロ程として記録されている場合には、それらのキロ程を処理基準開始キロ程及び処理基準終了キロ程とする。
【００４８】
以上の各例において、測定開始地点、測定終了地点または測定基準データがメモリ３２で停車場名として記録されている場合には、既定物テーブル４６を参照し、キロ程に変換したものを処理基準開始キロ程及び処理基準終了キロ程とする。尚、既定物テーブル４６の停車場名のＩＮ、Ｃ、ＯＵＴのいずれに対応するキロ程に変換するかは、データ記録装置１２が設置された車両の位置とホームとの関係に応じて予め決まる。一般的には、データ記録装置１２が車両の先頭付近、中間付近、最後尾付近に設置された場合には、その停車場のＯＵＴ、Ｃ、ＩＮのキロ程をそれぞれ読み出せばよい。勿論、停車場以外の既定物を処理区間の開始または終了とすることもできる。
【００４９】
・または、処理区間は予め決められた距離（例えば、１ｋｍ、５ｋｍ等）毎の区間とすることが考えられる。この場合、当然ながら、メモリ３２に記録されたヨー角速度には距離の情報がないから、暫定的に対応付けられたキロ程を用いてメモリ３２から読み出す範囲を決定する。より具体的には、測定開始地点と測定終了地点とのキロ程の差により求めた暫定的な測定距離Ｌをデータ数で割り算したものを隣り合うデータＩＤ間の暫定的な距離として、予め決められた距離に対応するヨー角速度データを読み出すこととしてもよい。
【００５０】
どのように処理区間を決定するかは、予めシステムで決められたものとするか、作業者による選択によって決定することにしてもよい。
【００５１】
３−２  角速度データの抽出
図４に示すように、曲線線形図とヨー角速度のグラフは、非常に類似する変化傾向を持つ。メモリ３２に記録された処理区間に対応する角速度データであるヨー角速度のデータを読み出し、曲線に対応するデータを見つけるために、規定条件を満足するデータの抽出を行う。規定条件としては、その絶対値が所定の閾値Ｙｔｈを超えて、所定データ数、連続して閾値Ｙｔｈを超えたこととすることができ、この規定条件を満足したヨー角速度の時系列的データ集合を、１つの曲線に対応するデータとみなすことができる。以下、この時系列的データ集合を検出曲線という。
【００５２】
３−３  曲線のマッチング
検出曲線が曲線テーブル４４のどの曲線に対応するかを求めるために、検出曲線と曲線テーブルの曲線とのマッチングを行う。マッチングの条件は、曲線の順番が逆転することはないこと、曲線の方向、その他、曲線の特徴値の類似度等とすることができる。マッチングが行われると、検出曲線が、曲線テーブル４４の曲線ＩＤと対応付けられる。
【００５３】
３−４  速度の計算
検出曲線の代表ヨー角速度を決定する。ここでは、車両が曲線を走行する際に、曲率半径が一定の部分を一定の速度で走行するものとする。そして、この速度を求めるために、代表ヨー角速度を任意の方法で決定するが、例えば、以下のように決めることができる。
・検出曲線のうちの中央のデータに対応するヨー角速度を代表ヨー角速度とする。
・検出曲線のうちの中央のデータから前後所定数のデータに対応するヨー角速度の平均値をとって代表ヨー角速度とする。平均をとるデータ数である所定数は、検出曲線を構成する全データ数に応じて可変とすることができ、所定の割合数とすることができる。
【００５４】
こうして検出曲線の代表ヨー角速度Ｙ０が決定されると、マッチングされた曲線の曲率半径Ｒｃを曲線テーブル４４より読み出し、速度ＶをＶ＝Ｙ０×Ｒｃから求める。これによって、各検出曲線に対応して、この曲線を通過したときの車両の速度が求められる。ヨー角速度の精度は高く、得られる速度は精度のよいものとなるので、この速度を確定速度とする。確定速度は、例えば、次の時点の速度とすることができる（図７参照）。
【００５５】
・確定速度は、検出曲線の中心点における速度とする。即ち、抽出されたヨー角速度の時系列的データ集合の中央のデータに対する速度とする（図７（ｂ））。
・確定速度は、抽出されたヨー角速度の時系列的データ集合全てのデータに対する速度とする（図７（ｃ））。
【００５６】
３−５  速度補間
以上で求められた確定速度に対して、確定速度間の速度を必要に応じて補間により求める。補間の方法としては、次の方法が考えられる。
・進行方向の加速度の積分を用いる方法
隣り合う確定速度間は、センサ部２０から得られる進行方向の加速度ａｘの積分値で補間する。
【００５７】
図８を参照しながらこの方法について詳細に説明する。
【００５８】
図８において、Ｖ０とＶｎはそれぞれ隣り合う確定速度とし、その間の区間で進行方向の加速度ａｘを積分していくと、積分区間終点における積分値は理想的にはＶｎになるはずである。
【００５９】
しかしながら、加速度データはオフセットを持っているから積分することにより誤差が拡大する。即ち、速度Ｖａは、
Ｖａ＝Ｖ０＋ΣＡｃｃ＋Σoffset    （ここで、Ａｃｃ：真の加速度、offset：加速度オフセット）
となる。
【００６０】
積分区間終点でのオフセットの積分値をＯＦＦｎとすると、加速度積分による積分区間終点の速度Ｖａｎは、
Ｖａｎ＝Ｖｎ＋ＯＦＦｎ
となる。この加速度積分による積分区間終点速度Ｖａｎと確定速度Ｖｎとの差異となるオフセットの積分値ＯＦＦｎから求めた区間の位置に応じたオフセット分を除去して、Ｖ０〜Ｖｎ間を補間した速度Ｖｉ（ｉは、積分区間開始からデータＩＤがｉ番目であることを表す）は、ｉ番目のオフセット分をＯＦＦｉとすれば、
Ｖｉ＝Ｖａｉ−ＯＦＦｉ
＝Ｖａｉ−ＯＦＦｎ×ｉ／ｎ
＝Ｖａｉ＋（Ｖｎ−Ｖａｎ）×（ＩＤｉ−ＩＤ０）／（ＩＤｎ−ＩＤ０）
と表すことができる。
【００６１】
ここで、Ｖａｉは、加速度積分により得られたｉ番目の速度であり、
Ｖａｉ＝Ｖａ（ｉ−１）＋Ｔｓ×（ａx（ｉ−１）＋ａxｉ）／２
と表すことができる。ここで、Ｖａ０＝Ｖ０であり、axｉは、ｉ番目の進行方向の加速度を表し、Ｔｓはサンプリングタイムである。
・ＧＰＳ信号を用いる方法
データ記録装置１２にＧＰＳ受信機を設けて、ＧＰＳ受信機から得られる速度（ＧＰＳ速度という）を検査値データとして他の検査値データと同期して取り込みメモリ３２に格納している場合に、そのＧＰＳ速度を用いて補間することが考えられる。
・均等に按分する方法
確定速度間は等加速度または等減速度で速度が線形的に変化するとして補間する方法である。センサ部からの検査値を用いずに補間することができるので、処理が簡単となる。
【００６２】
３−６  距離の算出
次に、確定速度及び補間された速度Ｖｉを順次積分することにより、距離、即ちキロ程を求めることができる。具体的には、速度Ｖｉを用いて、
Ｄｉ＝Ｄ（ｉ−１）＋Ｔｓ×（Ｖ（ｉ−１）＋Ｖｉ）／２
により求めることができる。
【００６３】
積分区間としては、処理区間と一致させることができ、または、処理区間内に、メモリ３２に記録された測定基準データとしてのマーキングデータがある場合等、キロ程が確定している地点がある場合には、そのキロ程が確定している地点間を積分区間とする。そして、初期値を積分区間始点のキロ程とし、積分を行ったときの積分区間終点の距離が、実際のキロ程と差異がある場合には、さらに補正を行なってもよい。補正は、例えば、積分区間の実際の距離をＤｋとし、積分区間始点から積分区間終点までの積分によって求められた距離をＤｎとすると、積分区間内の積分によって求められた距離Ｄｉの補正後の距離Ｄｉ’を、
Ｄｉ’＝Ｄｉ×Ｄｋ／Ｄｎ
とすることで行ってもよい。
【００６４】
３−７  軌道位置データ−検査値データとの対応付け処理
こうして、キロ程とデータＩＤとが対応付けられると、この対応関係をデータ出力テーブル４８に格納する。データ出力テーブル４８は、図６Ｄに示すフィールドを持つことができ、これによって、データＩＤとそれに対応するキロ程が、データＩＤに対応する検査値データと対応付けられたことになる。また、求めた速度もキロ程と対応付ける。
【００６５】
３−８  繰り返し処理
順次、以上の処理３−１〜３−７を、処理区間を変えて行う。通常、最初に決定された処理区間の始点は測定開始地点となり、最後に決定された処理区間の終点は測定終了地点となる。すべての処理区間について処理を行い、データＩＤに対してキロ程を対応付けることで、処理を終了する。
【００６６】
こうして作成されたデータ出力テーブル４８により、検査値データである加速度データ及び角速度データに対してキロ程が付与されたことになる。
【００６７】
以上の処理によれば、ヨー角速度を利用することにより、キロ程との照合を行うことができる。ヨー角速度は、曲線線形図と類似の変化傾向を持つために、精度良くキロ程と検査値データとの照合を行うことができる。また、ヨー角速度は、他の角速度に比較して曲線に対する感度が高いために、曲線における速度を正確に求めることができる。測定基準データとなる停車場間には、通常複数の曲線が存在しており、その曲線の度に正確な速度とすることができるから、キロ程との対応付けの精度を上げることができる。
【００６８】
３−９  キロ程精度向上処理２
以上の例では、ヨー角速度は、センサ部２０のヨー角速度出力を座標変換せずに使用しており、座標変換しなくてもヨー角速度のグラフにおいて、屈曲点の位置が精度良く現れるが、さらに精度を向上させるためには、データ解析装置１４またはデータ記録装置１２に、ヨー角速度、ロール角速度、ピッチ角速度の３軸の角速度を用いてまた必要に応じて加速度を用いて、公知の座標変換を行い車体系からその車両外の座標系に変換を行う処理を行う手段を設けることも可能である。
【００６９】
４．  比較
図９（ａ）は、ヨー角速度と曲線線形図との対応付けを行う前の、検査値、即ち、ヨー角速度とキロ程とを暫定的に対応付けた場合の例であり、図９（ｂ）は、曲線の速度を確定速度として用いてキロ程と対応付けた場合の例である。図中矩形の部分は、実際の曲線に対応する。また、図９中、二点鎖線は速度を表す。図９（ａ）の速度は、確定速度を用いずに、加速度の積分により求めたものである。図９（ｂ）に示される対応付けは、図９（ａ）に比較して、精度良く対応付けられていることが分かる。
【００７０】
５． 測定基準データについて
測定基準データとしては、前述のように、マーキング部３６または入力部３８から直接手動により入力されるキロ程のデータ、または、停車場、橋、トンネルといった既定物の通過したことを表すデータとする他に、別途のセンサにより自動的に通過したことを検出したことを表すデータとすることもできる。または、他のＡＴＳやデーターデポ（登録商標）（東京計器レールテクノ株式会社製）といった軌道に沿って間隔をあけて配置された地上子の通過を自動的に検知するデータとすることもできる。または、測定基準データとしては、データ記録装置１２にＧＰＳ受信機を設けて、ＧＰＳ受信機から得られる位置データとすることもできる。この場合、位置データと軌道上のキロ程との対応テーブルを別途設けるとよい。
【００７１】
６． 検査値について
尚、以上の説明例では、検査値データは、ヨー角速度及び進行方向の加速度を検出するセンサによって検出されるデータと共通または同一であったが、これに限るものではなく、検査値データは、別のセンサによって検出される別の測定値のデータとすることもできる。
【符号の説明】
【００７２】
１０  軌道位置データ付与システム
１２  データ記録装置
１４  データ解析装置
１４０  処理区間決定処理手段
１４４  マッチング手段
１４６  速度演算手段
１５０  速度補間手段
１５２  検査値データ対応付け処理手段
２０  センサ部
【図２】
2014044096.tif 000003
【図３】
2014044096.tif 000004
【図４】
2014044096.tif 000005
【図５】
2014044096.tif 000006
【図６Ａ】
2014044096.tif 000007
【図６Ｂ】
2014044096.tif 000008
【図６Ｃ】
2014044096.tif 000009
【図６Ｄ】
2014044096.tif 000010
【図７】
2014044096.tif 000011
【図８】
2014044096.tif 000012
【図１】
2014044096.tif 000013
【図９】
2014044096.tif 000014